(57)【要約】レジャー目的に使用する軽量搬送体（１０）であって、シャシー（１２）が、上面から見て、概ね二等辺三角形の形状を有し、その後部領域の２つの転動部材（２０）または滑走部材が該三角形の底辺の両後部頂点上に等角度で配置され、ステアリング軸（Ａ）が実質的に該三角形の第３頂点すなわち前部頂点（１６）に配置され、フットレストがシャシー（１２）の狭められた前部（１６）と転動部材（２６）および／または前部の滑走部材との間に設けられた空間に配置されていることを特徴とする。
2004530500.tif 000002
【特許請求の範囲】
【請求項１】
ほぼ水平な面を有する概ねスケートボード形状の長形シャシー（１２）であって、その上面（１８）の後部（１９）を使用者（Ｕ）のシートとして使用するものと、
地面を転動もしくは滑走する２つの横方向に対向する後部装置（２４）であって、車輪間隔幅をシャシー（１２）の後端部分の横幅にほぼ等しくする固定された後端（２８）を画定するものと、
地面を転動もしくは滑走する２つの横方向に対向する、前端（４０）を画定する前部装置（２６）であって、前記転動もしくは滑走する装置（２６）は、シャシー（１２）の長手方向前端に前記シャシー（１２）の中軸（Ｐ）にほぼ垂直のステアリング軸（Ａ）を中心として回動自在に取付けられたアクスル・バー（１４）の対向端に設置され、アクスル・バー（１４）の中央部（３２）は、アクスル・バーを回動自在に取付けたシャシーの長手方向前端部（１６）の下面から下に延在するものと、
前端の転動もしくは滑走装置の前記ステアリング軸（Ａ）を中心とする方向の同時的変化を制御する手段であって、その手段はフロント・アクスル・バー（１４）の対向端近傍に取り付けて使用者（Ｕ）がその足により制御可能な２つのフットレスト（４２）から成るものとを備えるタイプの軽量なレジャー用搬送体（１０）において、
上部から見たシャシー（１２）を概ね二等辺三角形状とし、２つの転動もしくは滑走装置（２０）により二等辺三角形の底辺の対向する後部頂点に位置する後端が形成され、ステアリング軸（Ａ）が三角形の第３の頂点もしくは前部頂点（１６）にほぼ位置し、それによってフットレスト（４２）がシャシー（１２）の狭められた前部（１６）と前端の転動および／または滑走装置（２６）の間のスペースに位置することを特徴とするレジャー用軽量搬送体。
【請求項２】
前輪間隔幅が後輪間隔幅より広いことを特徴とする請求項１に記載の軽量搬送体。
【請求項３】
フットレスト（４２）が前記搬送体のフロント・アクスル・バー（１４）で回動自在となるように設置されることを特徴とする請求項１または２に記載の軽量搬送体。
【請求項４】
フットレスト（４２）の回動幅を制限する手段（７８、８０）を含むことを特徴とする請求項３に記載の軽量搬送体。
【請求項５】
フットレスト（４２）が使用者の足が押圧する区域（４２’）を備えるトークリップから成り、その区域（４２’）は２つのサイド・ストップ（４２”）により画定され、それによって搬送体の使用中に足の前記面域（４２’）への圧迫接触が維持されることを特徴とする請求項１から４のいずれか一項に記載の軽量搬送体。
【請求項６】
フットレスト（４２）がフロント・アクスル・バー（１４）に取外し可能に設置されることを特徴とする請求項１から５のいずれか一項に記載の軽量搬送体。
【請求項７】
フットレスト（４２）を交換するためのハンドルがフロント・アクスル・バー（１４）に設置されることを特徴とする請求項１、２、３、４のいずれか一項に記載の軽量搬送体。
【請求項８】
フロント・アクスル・バー（１４）が、シャシー（１２）の下面（２０）に貫通する相補的リセス（４６）内に嵌合する縦関節軸（３６）を備え、回動自在かつ、特にクイック・ファスナ・タイプ・デザインの使用により取外し可能とされる請求項１から７のいずれか一項に記載の軽量搬送体。
【請求項９】
調節可能な軸（３６）締付け手段が設けられ、それによってフロント・アクスル・バー（１４）のステアリング軸（Ａ）を中心とする回動の制御された制動を得ることができる請求項１から８のいずれか一項に記載の軽量搬送体。
【請求項１０】
使用者（Ｕ）が搬送体を使用できるように把持装置を形成する後部シート区域（１９）の前部に長手方向に配置された２つの横方向に対向するハンドル（３０）をシャシーに備えることを特徴とする請求項１から９のいずれか一項に記載の軽量搬送体。
【請求項１１】
ハンドル（３０）をシャシー（１２）内部に延在する囲繞形状の中空ハンドルとし、それによって使用者の手を保護し、および／または、搬送体の制動手段を制御する手段にアクセスができることを特徴とする請求項１０に記載の軽量搬送体。
【請求項１２】
フロント・アクスル・バー（１４）がステアリング軸（Ａ）を中心としてフロント・アクスル・バー（１４）の中央部周囲で直線的変位に対応して両方向に回動自在とされる角度の制限手段（５０）を設けることを特徴とする請求項１から１１のいずれか一項に記載の軽量搬送体。
【請求項１３】
フロント・アクスル・バー（１４）が回動自在とされる角度の制限手段が、シャシー（１２）の前部（１６）下部に固定されＶ字を形成する２つの停止面（５０）を備える停止部（４８）から成り、前記停止面が前記バーの対応する後部縁端と協働してアクスル・バーのシャシー（１２）に対する２つの最大角回転位置を画定することを特徴とする請求項１２に記載の軽量搬送体。
【請求項１４】
全体的に分解可能とすることを特徴とする請求項１から１３のいずれか一項に記載の軽量搬送体。
【発明の詳細な説明】
【技術分野】
【０００１】
本発明は、一般にスケートボードと称されるタイプの軽量レジャー用搬送体に関する。
【０００２】
本発明は、特に、ほぼ水平な面を有する概ねスケートボード形状の長形ボディもしくはシャシーであって、その上面の後部を使用者のシートとして使用するものと、地面を転動する、たとえば車輪もしくはローラ（もしくはスキー、ランナもしくはブレード等の滑走装置）等、２つの横方向に対向する後部装置であって、車輪間隔幅をシャシー後端部分の横幅にほぼ等しくする固定された後端を画定するものと、地面を転動もしくは滑走する２つの横方向に対向する、前端を画定する前部装置と、前端もしくは後端の転動もしくは滑走装置の、シャシーの中央長手軸に概ね垂直のステアリング軸を中心とする方向の同時的変化を制御する手段とを備えるタイプの軽量搬送体もしくはマシンに関する。
【背景技術】
【０００３】
このタイプのスケートボードは、遊技および／またはスポーツ用として十分かつ成人もしくは子供の使用者にとって大いに魅力的であるために多くの特色がなければならず、また特に、使用者の着座位置が低いため、スケートボード使用者の重心がきわめて低くなることからして、安定性に優れていなければならない。
【０００４】
かくして、上述の一般的タイプのスケートボード・デザインがいくつか既に提案されている（米国特許第５９２７７３２号、ＷＯ第９９／４８７５０号）。
【０００５】
これらの文献に記載のローラを有するマシンには、使用者が快適でない駆動位置をとらざるをえないために、そのマシンの安定性およびステアリング制御が低減し、大きな回転角度をとり得ず、かつ使用者の足が前輪に接触して摩擦による火傷を負うリスクがあるという欠点がある。
【特許文献１】
米国特許第５９２７７３２号
【特許文献２】
ＷＯ第９９／４８７５０号
【発明の開示】
【発明が解決しようとする課題】
【０００６】
これらの欠点を克服するため、本発明は、上部から見たシャシーを概ね二等辺三角形状とし、２つの転動もしくは滑走装置により二等辺三角形の底辺の対向する後部頂点に位置する後端が形成され、ステアリング軸が三角形の第３の頂点もしくは前部頂点にほぼ位置し、それによってフットレストがシャシーの狭められた前部と前端の転動および／または滑走装置の間のスペースに位置することを特徴とする前述したタイプの軽量レジャー用搬送体を提供することを課題とする。
【課題を解決するための手段】
【０００７】
特に、上述の構成により、本発明による軽量レジャー用搬送体もしくはマシンの重量、構造的強度および寸法を最適化する手段が得られる。さらに、この構成によって、フットレストが使用者の脚に自然で無理のない位置で、あたかもゴーカート・タイプの搬送体のドライバがとるような位置に相当する位置に置かれ、マシンの動的安定性、その操縦精度および使用者の快適性が増大する。
【０００８】
上述の利点に加え、搬送体シャシーの特別かつ革新的な形状を含む特徴の結合により、使用者は自然な駆動姿勢を見出すことができ、マシンの安定性およびステアリング制御が向上し、大きな回転角度をとることができ、大きなスペースが足のために解放され、かつドライバの脚と前輪の間の摩擦により生じる火傷のリスクが除去される。
【０００９】
本発明の別の特徴によれば、各フットレストはフロント・アクスル・バーもしくはステアリング・バーで回動自在に設置され、かつ好ましくは取外し可能とされる。
【００１０】
いくつかの魅力的な実施形態によれば、各フットレストは、足が押圧する面域を備えるトークリップから成り、２つのサイド・ストップにより足の前記面域の脇への滑りが制限され、かつフットレストの各方向への回動幅を制限する手段が設けられる。
【００１１】
これらの構成により、ドライバは搬送体を制御するために体を捻る必要が無く、安定した快適な姿勢を維持しつつマシンを制御することができ、著しい駆動性能を得ることができる。
【００１２】
本発明の別の特徴によれば、フロント・アクスル・バーが、シャシーの下面に貫通する相補的リセス内に嵌合する縦関着軸を備え、回動自在かつ、特にクイック・ファスナ・タイプ・デザインの使用により取外し可能とされる。したがって、スケートボードは容易に取り外して使用箇所に運搬可能であり、同時に、スケートボードは僅かに２つのコンポーネント・サブアセンブリから成るため、分解時の組立および分解作業がし易くなる。
【００１３】
本発明のまた別の特徴によれば、調節可能な軸締付け手段が設けられ、それによってフロント・アクスル・バーのステアリング軸を中心とする回動の制御された制動を得ることができるため、スケートボードの性能を使用者の使用条件および／または使用者の技術に適合させることができる。
【００１４】
本発明の別の特徴によれば、前輪間隔幅が後輪間隔幅より広く、したがって上述のようにマシンの動的安定性、その操縦精度および使用者の快適性が向上する。
【００１５】
本発明のさらに別の特徴によれば、使用者のための把持装置を形成する後部シート区域の前部に長手方向に配置された２つの横方向に対向するハンドルをシャシーに備えることによって、搬送体をより安全に駆動快適性も一層良好に使用でき、特に、回転時の遠心力の影響に対してゴーカートの場合のような本式のシートを利用することなく耐えることができる。
【００１６】
本発明のまた別の特徴によれば、ハンドルはシャシー内部に延在する囲繞形状の中空ハンドルとし、それによって使用者の手を保護しおよび／または搬送体の制動手段を制御する手段にアクセスができ、制動手段は、固定された後端の転動装置に作用するか、もしくはマシンが走行する地面に直接作用するように概ね既知の方法により構成および設計されることが好ましい。
【００１７】
本発明のさらにまた別の特徴によれば、かつマシンの安定性を一層向上させるため、このマシンにはフロント・アクスル・バーがステアリング軸を中心としてフロント・アクスル・バーの中央部周囲で直線変位に対応して両方向に回動自在とされる角度の制限手段が設けられる。
【００１８】
本発明の他の特徴および利点は、以下の詳細な説明を読んだ後に明らかとなり、添付図面を参照して読むことによって一層容易に理解できよう。
【発明を実施するための最良の形態】
【００１９】
以下に、地面を転動する車輪もしくはローラ付き搬送体もしくはマシンに適用する本発明の情報および特徴の応用例について説明するが、応用はそれに限定されるものではなく、本発明は、車輪をスキーあるいはアイススケートもしくはボブスレーに使用されるランナもしくはブレード等の滑走装置に代える場合にも適用可能である。
【００２０】
本実施例においては、多少とも急勾配の路上で使用する場合には使用者および／または重力により力が加えられるものの、他に推進手段もしくは牽引手段を備えないスケートボードについて説明するが、凧もしくは帆等の牽引装置を併設することは可能であり、それらも本発明の範囲を外れるものではない。
【００２１】
図１は、実質的に通常概ね三角形の水平なボード状のボディもしくはシャシー１２、および、シャシー１２の長手方向前端１６に回動自在に設置されたフロント・アクスル・バー１４から成るスケートボード１０を示す。フロント・アクスル・バー１４は、マシンのステアリング・バーを形成し、これに本明細書で後述するフットレスト４２が置かれる。
【００２２】
より正確には、この場合、シャシー１２は構造的補強バーから成る内部要素（図示せず）により補強された中空シェルとされ、この補強によって剛性がきわめて良好となっている。
【００２３】
シャシー１２は、水平方向上面１８および下面２０によって画定され、また使用中は地面に対して概ね水平かつ平行とされる。
【００２４】
上面１８の後部区域１９は、図６に概略シルエットで示す使用者Ｕのシートを形成する。この区域は、滑り止め材（図示せず）および／または使用者の形態に適合した、人間工学的プロファイルを生成する薄いクッションで覆うことができ、それによってシーティング品質および快適性が向上する。
【００２５】
シェルもしくはシャシー１２は、二等辺三角形状とされ、完成マシン１０と同様に、そのデザインは図６に示す中央垂直面Ｐを中心として概ね対称とされる。
【００２６】
三角形の横方向に対向する２つの後部頂点２２のそれぞれには、転動する後輪２４が嵌合され、軸線２８を有する固定された後端を画定する。前輪２６と同様、これらの車輪にはそれぞれに玉軸受が嵌合され、車輪は既知の方法により回動自在とされる。
【００２７】
シャシー１２の三角形状の前部は、シート区域１９直前の中間区域から一層細く、あるいは狭められ、そこから２つの横方向に対向する中空ハンドル３０がシャシー中央側に向けて延在し、それによって使用者の手が保護され、および／または、搬送体制動手段の制御装置へのアクセスが与えられ、中空ハンドル３０は、図１に示すように手を囲繞する形状とされる。
【００２８】
これらのハンドルは、以下の３つの機能を果たす。
−  釣合いを維持し、
−  中空かつ囲繞する形状により、ドライバの指を保護する安全性を与え、
−  適切な場合には、制動システムの制御装置を内蔵する。
【００２９】
第３頂点もしくはシャシーの前端１６は、フロント・アクスル・バー１４の中央部３２を回動自在に担持する。
【００３０】
以上の説明に基づいて銘記すべきことは、本発明の１つの重要な特徴的構成として、マシンのシャシー１２は、上方から見て、概ね二等辺三角形状とされ、後部の２つの転動装置２０もしくは滑走装置が二等辺三角形の底辺の対向する後部頂点に位置し、かつステアリング軸１が三角形のほぼ第３頂点もしくは前部頂点１６に位置し、それによってフットレスト４２がシャシー１２の狭められた前部１６と前端の転動装置２６および／または滑走装置の間に位置するということである。
【００３１】
この場合、フロント・アクスル・バー１４は、ほぼ水平の上面３４により画定された真直横方向配向の概ね平坦形状とされ、その上方に金属製関節軸３６があり、軸Ａがその中心および中央部３２に固定され、かつこの関節軸がマシンのステアリング軸とされる、言い換えれば、軸Ａを中心としてアクスル・バー１４が両方向に回動自在とされる。
【００３２】
アクスル・バー１４の要部は、その２つの横方向対向端３８のそれぞれにおいて転動前輪２６を支持し、それによって、軸線４０を有していてシャシー１２に軸Ａを中心として関節接合された前端が画定される。
【００３３】
特に図６にて分かるように、前輪間隔幅は後輪間隔幅より広く、ホイールベースは、たとえば成人、男子もしくは女子、あるいは子供等の具体的使用者層の平均サイズによって求められる。ホイールベースは、使用者の身長によって様々とすべき主な変数とされる。したがって、ホイールベースが調節可能なボードのデザインも可能とされ、たとえばシャシーの様々な長手方向位置にアクスル・バーの枢軸を置く数個の孔を設けることによって、アクスル・バーを後端から調節可能な距離に位置付けることができる。
【００３４】
成人用には、前輪間隔幅をたとえば８０ｃｍ台とし、それによって、本発明により与えられる情報によれば、２つの横方向に対向するフットレスト４２をフロント・アクスル・バー１４の上面３４に置くことができ、かつ図１、２および６に示すように、一体に製作かつトークリップを形成する形状とし、また、フットレスト区域４４に、シーティング区域１９に既知の方法で施すと同様に、滑り止め表面塗装することも可能であろう。
【００３５】
しかし、図７から９に示す本発明の１つの重要な特徴によれば、各フットレスト４２は、反対方向に回動自在に設置される。たとえば、各フットレスト４２は、サークリップ、もしくはピンもしくは同様な用具７４を取外し可能もしくは交換可能に使用し、固定された縦方向枢軸７２を中心として回動自在に設置することにより、迅速かつ容易にフットレストの組立および分解ができる。耐摩擦ワッシャ７６をフットレストとステアリング・バー１４の間に挿入することもできる。
【００３６】
フットレスト４２の揺動幅を制限するための手段が設けられる。この手段は、ステアリング・バーに固定されフットレストの下面に形成した円弧状の溝８０内に収容されるスタッド７８からなるものとすることができる。
【００３７】
以上に述べた利点に加えて、フットレスト４２が方向付けおよび取外し可能なこのシステムは、特別に設計のハンドルによってフットレストを交換し、ドライバがシャシーに腹這いになってマシンを使用できるようにすることもできる。
【００３８】
本発明の１つのきわめて有利な実施形態によれば、フットレスト４２は、足の左右滑り止めとなる２つのサイド・ストップ４２”（図８）によって画定され足で押圧される区域４２’を備えるトークリップから成り、それによって搬送体使用中に足の前記面域への圧迫接触が維持される。
【００３９】
図５で概略的に分かるように、シャシー１２の自由前端１６には、軸３６に相補的な円筒状ハウジング４６が設けられ、これに軸３６が回動自在に嵌合して、シャシー１２の下面２０から突出する。
【００４０】
このマシンは、フロント・アクスル・バー１４のステアリング軸１を中心とする回動角を真直方向運動に対応して制限する手段を前記アクスル・バーの中央部周囲に備える。
【００４１】
たとえば、下面２０には、Ｖ字を形成する２つの停止面５０を画定する浮彫り状に形成された停止部４８を備え、この停止面がバー１４要部の対応する後部縁端５２と協働してアクスル・バーのシャシー１２に対する２つの最大角回転位置を画定する。
【００４２】
図３および４にて分かるように、軸３６はベース５４を備え、軸の円筒状本体がバー１４の厚みを縦方向貫通し、それによって、シャシー１２の前端に加えられ、ねじ５８によって固定された部分５６に形成されたハウジング４６内に軸が嵌合される。
【００４３】
１つの変形例によれば、この軸は、使用される材料により、インサート成形とすることもできよう。
【００４４】
軸３６の上部部分には、縦溝６０および上部半径方向溝６２を備え、この溝６２にラジアル・ピン６４が嵌合可能とされ、ラジアル・ピン６４はシャシー１２の前端１６の上面２０からアクセス可能な制御ボタン６５内に摺動自在とされる。
【００４５】
ピン６４は、ばね、および、ねじ７０により弾性的に保持され、溝６２に嵌合される。
【００４６】
溝６２内のピン６４によって、軸３６をハウジング４６に迅速かつ確実に設置することができ、またボタン６５を４分の１回転して縦溝６０をピン６４に対面させることによって分解が可能となる。
【００４７】
マシンの使い方次第により、手段（図示せず）を加えることができ、それによって、遊技用あるいは競技用には、特に駆動もしくは制御のタイプにより、アクスル・バーの関節軸の軸Ａを中心とする回動のきつさ、もしくは、締まりを調節することができる。
【００４８】
本発明による軽量搬送体は、完全に分解可能とされる。
【００４９】
さらに、車輪もしくはローラをスキー、アイススケート等と交換可能なことに注目されたい。
【００５０】
アクスル・バーを分解することによって運搬用および保護用バッグに入るコンパクトなアセンブリとすることができ、サーフボード等と同様に把手もしくはストラップを使用して容易に持ち運び可能とすることができる。
【図面の簡単な説明】
【００５１】
【図１】本発明で与えられる情報により製作されたスケートボードの例示的実施態様の斜視図であり、フロント・アクスル・バーをシャシーに組付けた、使用可能状態のスケートボードの図である。
【図２】シャシーから分離したときのフロント・アクスル・バーの正面図である。
【図３】フロント・アクスル・バーの取外しおよび調整可能なヒンジの製作に使用される主要構成部品を示す、部分断面、分解斜視図である。
【図４】フロント・アクスル・バーをシャシーに組付けもしくは設置したときの図３の構成部品を示す軸方向横断面図である。
【図５】シャシー前端の下面の細部概略図である。
【図６】使用者の駆動姿勢を示す図１のスケートボードの概略上面図である。
【図７】特にフットレストの枢設アセンブリを示す部分切欠平面図である。
【図８】枢設フットレストの拡大詳細平面図である。
【図９】図８の９−９線断面図である。
【国際公開パンフレット】
2004530500.tif 000003
2004530500.tif 000004
2004530500.tif 000005
2004530500.tif 000006
2004530500.tif 000007
2004530500.tif 000008
2004530500.tif 000009
2004530500.tif 000010
2004530500.tif 000011
2004530500.tif 000012
2004530500.tif 000013
2004530500.tif 000014
2004530500.tif 000015
2004530500.tif 000016
2004530500.tif 000017
2004530500.tif 000018
2004530500.tif 000019
2004530500.tif 000020
2004530500.tif 000021
2004530500.tif 000022
【国際調査報告】
2004530500.tif 000023
2004530500.tif 000024
2004530500.tif 000025
2004530500.tif 000026
2004530500.tif 000027
2004530500.tif 000028